(57)【要約】【課題】容易に組立施工ができるのみならず、移設して再利用することが可能な新規なガソリンスタンド用キャノピー構造を提供する。【解決手段】ガソリンスタンドに設置され、移設可能なガソリンスタンド用キャノピー構造であって、床面に設置され、柱受け部を有する基台と、該柱受け部に下端部が着脱自在に取付けられた下部支持部材と、該下部支持部材の上端部に一端部が接合された上部支持部材と、梁受け部を有し、該上部支持部材の他端部が着脱自在に取付けられた上部支持部材取付け部材を有する屋根部材と、を含み、前記基台を一以上床面に設置し、前記下部支持部材の下端部を前記基台の柱受け部に着脱自在に取付け、前記上部支持部材の他端部を前記上部支持部材取付け部材の前記梁受け部に着脱自在に取付けることにより、移設可能に構成されるようにした。【選択図】  図１
0003130908.tif 000002
【実用新案登録請求の範囲】
【請求項１】
ガソリンスタンドに設置され、移設可能なガソリンスタンド用キャノピー構造であって、
床面に設置され、柱受け部を有する基台と、
該柱受け部に下端部が着脱自在に取付けられた下部支持部材と、
該下部支持部材の上端部に一端部が接合された上部支持部材と、
梁受け部を有し、該上部支持部材の他端部が着脱自在に取付けられた上部支持部材取付け部材を有する屋根部材と、
を含み、
前記基台を一以上床面に設置し、
前記下部支持部材の下端部を前記基台の柱受け部に着脱自在に取付け、
前記上部支持部材の他端部を前記上部支持部材取付け部材の前記梁受け部に着脱自在に取付けることにより、
移設可能に構成されたことを特徴とするガソリンスタンド用キャノピー構造。
【請求項２】
前記基台の柱受け部が一対の第一柱受け部と第二柱受け部とされ、前記下部支持部材及び上部支持部材がそれぞれ第一下部支持部材及び第二下部支持部材並びに第一上部支持部材及び第二上部支持部材とされ、
該第一柱受け部と第二柱受け部のそれぞれに第一下部支持部材及び第二下部支持部材を着脱自在に取付け、該第一下部支持部材及び第二下部支持部材のそれぞれの上端部には第一上部支持部材及び第二上部支持部材の一端部が接合され、該第一上部支持部材の他端部を第一梁受け部を有する第一屋根部材へ、該第二上部支持部材の他端部を第二梁受け部を有する第二屋根部材へ着脱自在に取付けることにより、複数の屋根部材が設けられたことを特徴とする請求項１記載のガソリンスタンド用キャノピー構造。
【請求項３】
請求項１又は２記載のガソリンスタンド用キャノピー構造を複数個並べてなることを特徴とするガソリンスタンド用キャノピー構造。
【考案の詳細な説明】
【技術分野】
【０００１】
本考案は、移設して再利用することを可能とした組立式の新規なガソリンスタンド用キャノピー構造に関する。
【背景技術】
【０００２】
従来、ガソリンスタンドを設置するにあたっては、基礎に柱を固設した後、該固設した柱に梁を取り付け、該梁に屋根部を取付けることでキャノピー（ガソリンスタンド屋根）を構築していた。しかし、キャノピーと呼ばれる屋根部などを構築するにあたっては、材料費、工事費用や作業代などから、多額の設備投資が必要であり、また、工事も大がかりなものとなるため、工期も比較的長くならざるをえなかった。
【０００３】
キャノピーなどの施工方法として、例えば、本出願人らは、工期短縮などを目的として、キャノピーなどの建物上屋の施工方法（特許文献１）を提案し好評を得ている。また、例えば、屋根部への給油関連設備の設置が安全かつ経済的に実施できるキャノピーの構築方法（特許文献２）が提案されている。
【０００４】
しかし、これらいずれの従来技術も、キャノピーを一度施工してしまうと、該キャノピーを施工したガソリンスタンドが閉店したとしても、そのまま廃棄処分としていた。特に、最近では、環境への配慮のため、すべての廃材を分類して廃棄しないといけないため、解体作業が大変であり、解体費用が従来の少なくとも３倍程かかるようになってきているという問題もあった。
【特許文献１】特許２８１８７２９号
【特許文献２】特開平９−２５６４７４
【考案の開示】
【考案が解決しようとする課題】
【０００５】
本考案は、上記した問題点に鑑みなされたもので、容易に組立施工ができるのみならず、移設して再利用することが可能な新規なガソリンスタンド用キャノピー構造を提供することを目的とする。
【課題を解決するための手段】
【０００６】
上記の目的を達成する為に、本考案のガソリンスタンド用キャノピー構造は、
ガソリンスタンドに設置され、移設可能なガソリンスタンド用キャノピー構造であって、
床面に設置され、柱受け部を有する基台と、
該柱受け部に下端部が着脱自在に取付けられた下部支持部材と、
該下部支持部材の上端部に一端部が接合された上部支持部材と、
梁受け部を有し、該上部支持部材の他端部が着脱自在に取付けられた上部支持部材取付け部材を有する屋根部材と、
を含み、
前記基台を一以上床面に設置し、
前記下部支持部材の下端部を前記基台の柱受け部に着脱自在に取付け、
前記上部支持部材の他端部を前記上部支持部材取付け部材の前記梁受け部に着脱自在に取付けることにより、
移設可能に構成されたことを特徴とする。
【０００７】
このように構成することで、従来は、ガソリンスタンドのキャノピーが不要となると、キャノピーをそのまま廃棄処分としていたが、キャノピーを別の新たなガソリンスタンドなどへ移設して再利用することができるという利点がある。
【０００８】
前記基台の形状としては特に限定はなく、前記柱受け部を有し、前記下部支持部材が着脱自在に取付けられることが可能であればよいものである。前記基台、下部支持部材及び上部支持部材の材質としてはアルミ、軽量鉄骨などで構成でき、特にアルミで構成すると、軽量で塗装が不要であるという利点があるので好ましい。
【０００９】
前記上部支持部材の他端に前記屋根部材を取付ける構造としては、前記上部支持部材受け部を介して取付けられればよいものである。
【００１０】
前記屋根部材の形状としては、特に限定はないが、例えばアーチ状などが好適である。屋根部材の材質としては、枠及び前記上部支持部材受け部をアルミや軽量鉄骨で構成し、例えば耐水性布材、アルミ板などで上部を覆った構造などが適用できる。
【００１１】
また、前記基台の柱受け部が一対の第一柱受け部と第二柱受け部とされ、前記下部支持部材及び上部支持部材がそれぞれ第一下部支持部材及び第二下部支持部材並びに第一上部支持部材及び第二上部支持部材とされ、該第一柱受け部と第二柱受け部のそれぞれに第一下部支持部材及び第二下部支持部材を着脱自在に取付け、該第一下部支持部材及び第二下部支持部材のそれぞれの上端部には第一上部支持部材及び第二上部支持部材の一端部が接合され、該第一上部支持部材の他端部を第一梁受け部を有する第一屋根部材へ、該第二上部支持部材の他端部を第二梁受け部を有する第二屋根部材へ着脱自在に取付けることにより、複数の屋根部材が設けられる構造とすれば、屋根部材を相対向して対称的に構築できる利点がある。この際、前記屋根部材を例えばアーチ状として、複数のアーチ状屋根部材が相対向して対称的に併設されるとより好ましい。
【００１２】
さらに、上記したガソリンスタンド用キャノピー構造を複数個並べれば、屋根部材によって覆われる面積が大きくなるだけでなく、キャノピーの意匠性も向上し、ガソリンスタンドの見栄えがよくなるという利点がある。このように上記したガソリンスタンド用キャノピー構造を複数個並べる場合には、相対向する屋根部材について、例えば、ジョイント部材を設け、該ジョイント部材を介して該屋根部材を接合するように構成するのが好ましい。
【考案の効果】
【００１３】
本考案のガソリンスタンド用キャノピー構造によれば、容易に組立施工ができるのみならず、移設して再利用することが可能な新規なガソリンスタンド用キャノピー構造を提供することができるという著大な効果が達成される。
【００１４】
また、従来は廃棄処分としていたものが、移設して再利用可能であり、廃棄する必要がなくなるため、従来の分類廃棄などの問題も解消される。
【００１５】
用途としては、給油場所の上に設ける給油用キャノピーや洗車場に設ける洗車場用キャノピーなどが考えられる。
【考案を実施するための最良の形態】
【００１６】
以下に本考案の実施の形態を添付図面に基づいて説明するが、本考案の技術思想から逸脱しない限りこれらの実施の形態について種々の変更又は変形が可能なことは言うまでもない。
【００１７】
図１は本考案に係るガソリンスタンド用キャノピー構造の第１の実施の形態を示す正面斜視図、図２は本考案に係るガソリンスタンド用キャノピー構造の第１の実施の形態を示す側面斜視図、図３は図１のガソリンスタンド用キャノピー構造の概略説明図、図４は本考案に係るガソリンスタンド用キャノピー構造の柱受け部の概略平面図である。
【００１８】
図５は本考案に係るガソリンスタンド用キャノピー構造の基台の概略平面図、図６は本考案に係るガソリンスタンド用キャノピー構造の要部分解図、図７は図６の要部拡大図、図８は本考案に係るガソリンスタンド用キャノピー構造の屋根部材の底面斜視図、図９は本考案に係るガソリンスタンド用キャノピー構造の第２の実施の形態を示す側面斜視図、図１０は本考案に係るガソリンスタンド用キャノピー構造の第３の実施の形態を示す側面斜視図である。
【００１９】
本考案に係るガソリンスタンド用キャノピー構造の第１の形態を図１〜図８に基づいて説明する。図１〜図８において、１０Ａは本考案に係るガソリンスタンド用キャノピー構造である。
【００２０】
ガソリンスタンド用キャノピー構造１０Ａは、特に図３〜図５に示される如く、床面Ｆに設置され、長手方向中心部に設けられた一対の柱受け部１２ａ，１２ｂ（第一柱受け部と第二柱受け部）（図示例では開口部）を有する基台１４と、該第一柱受け部１２ａ，第二柱受け部１２ｂに下端部が着脱自在に取付けられた第一下部支持部材１６ａ，第二下部支持部材１６ｂと、該第一下部支持部材１６ａ，第二下部支持部材１６ｂの上端部に一端部が接合された第一上部支持部材１８ａ，第二上部支持部材１８ｂと、長手方向中心部に第一梁受け部２０ａ，第二梁受け部２０ｂ（図示例では開口部）を有し、該第一上部支持部材１８ａ，第二上部支持部材１８ｂの他端部が着脱自在に取付けられた第一上部支持部材受け部２２ａ，第二上部支持部材受け部２２ｂを有する第一屋根部材２４ａ，第二屋根部材２４ｂと、を含んで構成されている。
【００２１】
そして、前記基台１４を一以上床面Ｆに着脱自在に設置（図示例では、図２に示した如く２つ）し、前記第一下部支持部材１６ａ，第二下部支持部材１６ｂの下端部を前記基台１４の第一柱受け部１２ａ，第二柱受け部１２ｂに着脱自在に取付け、前記第一上部支持部材１８ａ，第二上部支持部材１８ｂの他端部を前記第一屋根部材２４ａ，第二屋根部材２４ｂの前記第一梁受け部２０ａ，第二梁受け部２０ｂに着脱自在に取付けることにより、キャノピー構造１０Ａが移設可能に構成されている。そして、このガソリンスタンド用キャノピー構造１０Ａをガソリンスタンドに設置してガソリンスタンド用キャノピーとして使用し（図１及び図２）、不要になったら別のガソリンスタンドへに移設して再利用することが可能である。
【００２２】
図３において、２６は土、２８は砂利、３０はならしコンクリート、３２はコンクリート、３４はアンカーボルト、３６はナット、３８は鉄板、４０は再生砕石、４２はモルタル、をそれぞれ示す。図５において、４４はベースプレートであり、基台１４が接合されている。このようにして、基台１４が床面Ｆに設置される。また、上記のような構成としてあるため、必要に応じて基台１４の数を増やしたり減らしたりすることも容易であるし、移設も容易である。
【００２３】
次に、図６及び図７に基づいて、組立て方を説明する。基台１４の第一柱受け部１２ａ，第二柱受け部１２ｂ（図示例では開口部）に第一下部支持部材１６ａ，第二下部支持部材１６ｂをボルトネジＳで着脱自在に取付け固定する。該第一下部支持部材１６ａ，第二下部支持部材１６ｂの上端部には第一上部支持部材１８ａ，第二上部支持部材１８ｂの一端部が接合されている。接合の仕方はボルトネジＳなどで固定すればよいものであり、図示例では、柱キャップ４８を介してネジ止めしてある。
【００２４】
図１によく示される如く、第一屋根部材２４ａ，第二屋根部材２４ｂには、第一上部支持部材受け部２２ａ，第二上部支持部材受け部２２ｂがそれぞれ設けられており、それぞれには図６で示したような第一梁受け部２０ａ，第二梁受け部２０ｂが形成されている（図６の第二梁受け部２０ｂ参照）。なお、図示例では、上部支持部材受け部の梁受け部を開口部としたが、上部支持部材を取付けることができればよいものであるから、取付け方に特別の限定はない。これら第一梁受け部２０ａ，第二梁受け部２０ｂに第一上部支持部材１８ａ，第二上部支持部材１８ｂの他端部を挿入してボルトネジＳでネジ止めして取付け固定する（図６）。なお、５０は梁キャップであり、雨水や埃の侵入を防ぐためなどに必要に応じて設ければよい。図６に示した図示の例では、第二上部支持部材受け部２２ｂのみ示したが、第一屋根部材２４ａの第一上部支持部材受け部２２ａについても同様に取付けられる。
【００２５】
このようにして、該第一柱受け部１２ａと第二柱受け部１２ｂのそれぞれに第一下部支持部材１６ａ及び第二下部支持部材１６ｂを着脱自在に取付け、該第一下部支持部材１６ａ及び第二下部支持部材１６ｂのそれぞれの上端部には第一上部支持部材１８ａ及び第二上部支持部材１８ｂの一端部が接合され、該第一上部支持部材１８ａの他端部を第一梁受け部２０ａを有する第一屋根部材２４ａへ、該第二上部支持部材１８ｂの他端部を第二梁受け部２０ｂを有する第二屋根部材２４ｂへ着脱自在に取付けることにより、複数の屋根部材２４ａ，２４ｂが設けられている。
【００２６】
第一屋根部材２４ａ，第二屋根部材２４ｂは、図１，図２及び図８に示される如く、それぞれ縦枠５２ａ，５２ｂ及び５４ａ，５４ｂ並びに横枠５６ａ，５６ｂ及び５８ａ，５８ｂを有し、耐水性シート６０ａ，６０ｂによって上部が覆われている。なお、符号６２，６４はそれぞれ縦方向及び横方向の補強材であり、必要に応じて設ければよい。なお、図示例では第一屋根部材２４ａ，第二屋根部材２４ｂをアーチ状とし、該第一屋根部材２４ａ，第二屋根部材２４ｂが相対向して対称的に併設されように構成した例を示したが、屋根部材としての作用効果を奏する限り、形状などに特別の限定はない。しかし、アーチ状とすると見栄えがするので、意匠的に優れるという利点がある。
【００２７】
本考案の他の実施の形態を図９に示す。図９において、符号１０Ｂは本考案のガソリンスタンド用キャノピー構造の第２の態様を示す。ガソリンスタンド用キャノピー構造１０Ｂは、床面に設置され、長手方向中心部に設けられた柱受け部１２（図示例では開口部）を有する基台１４と、該柱受け部１２に下端部が着脱自在に取付けられた下部支持部材１６と、該下部支持部材１６の上端部に一端部が接合された上部支持部材１８と、長手方向中心部に梁受け部２０（図示例では開口部）を有し、該上部支持部材１８の他端部が着脱自在に取付けられた上部支持部材受け部２２を有する屋根部材２４と、を含むように構成されている。屋根部材２４は、縦枠５４ａ，５４ｂ、横枠５８ａ，５８ｂ、補強材６４を含み、耐水性シート６０ｂで上部が覆われている。
【００２８】
該ガソリンスタンド用キャノピー構造１０Ｂの構成は、上記したガソリンスタンド用キャノピー構造１０Ａと基本的に同様であるので再度の詳細な説明は省略するが、屋根部材を一つだけ設けた態様である点に特徴がある。比較的スペースの狭いガソリンスタンドなどにキャノピーを設置する場合にはこのように屋根部材を一つだけ設けるように構成してもよい。
【００２９】
次に、本考案の別の実施の形態を図１０に示す。図１０において、符号１０Ｃは本考案のガソリンスタンド用キャノピー構造の第３の態様を示す。該ガソリンスタンド用キャノピー構造１０Ｃの構成は、上記したガソリンスタンド用キャノピー構造１０Ａと基本的に同様であるので再度の説明は省略するが、上記説明したガソリンスタンド用キャノピー構造１０Ａを複数個並べた態様である点に特徴がある。このように複数個並べると、屋根部材によって覆われる面積が大きくなるだけでなく、キャノピーの意匠性も向上し、ガソリンスタンドの見栄えがよくなるという利点がある。なお、図１０の例では、ガソリンスタンド用キャノピー構造１０Ａを２つ並べた形態を示したが、複数個並べればよいものであるから、並べる数に特別の限定はない。
【００３０】
以上のように、構成することで、ボルトさえ外せば簡単に分解できるため、容易に持ち運ぶことが可能となる。また、材質も全てアルミ板を用いて構成すれば、軽量で持ち運びがより容易になるという利点がある。
【図面の簡単な説明】
【００３１】
【図１】本考案に係るガソリンスタンド用キャノピー構造の第１の実施の形態を示す正面斜視図である。
【図２】本考案に係るガソリンスタンド用キャノピー構造の第１の実施の形態を示す側面斜視図である。
【図３】図１のガソリンスタンド用キャノピー構造の概略説明図である。
【図４】本考案に係るガソリンスタンド用キャノピー構造の柱受け部の概略平面図である。
【図５】本考案に係るガソリンスタンド用キャノピー構造の基台の概略平面図である。
【図６】本考案に係るガソリンスタンド用キャノピー構造の要部分解図である。
【図７】図６の要部拡大図である。
【図８】本考案に係るガソリンスタンド用キャノピー構造の屋根部材の底面斜視図である。
【図９】本考案に係るガソリンスタンド用キャノピー構造の第２の実施の形態を示す側面斜視図である。
【図１０】本考案に係るガソリンスタンド用キャノピー構造の第３の実施の形態を示す側面斜視図である。
【符号の説明】
【００３２】
１０Ａ，１０Ｂ，１０Ｃ：ガソリンスタンド用キャノピー構造、１２：柱受け部、１２ａ：第一柱受け部、１２ｂ：第二柱受け部、１４：基台、１６：下部支持部材、１６ａ：第一下部支持部材、１６ｂ：第二下部支持部材、１８：上部支持部材、１８ａ：第一上部支持部材、１８ｂ：第二上部支持部材、２０：梁受け部、２０ａ：第一梁受け部、２０ｂ：第二梁受け部、２２ ：上部支持部材受け部、２２ａ：第一上部支持部材受け部、２２ｂ：第二上部支持部材受け部、２４：屋根部材、２４ａ：第一屋根部材、２４ｂ：第二屋根部材、２６：土、２８：砂利、３０：ならしコンクリート、３２：コンクリート、３４：アンカーボルト、３６：ナット、３８：鉄板、４０：再生砕石、４２：モルタル、４４：ベースプレート、４８：柱キャップ、５０：梁キャップ、５２ａ，５２ｂ，５４ａ，５４ｂ：縦枠、５６ａ，５６ｂ，５８ａ，５８ｂ：横枠、６０ａ，６０ｂ：耐水性シート、６２，６４：補強材、Ｆ：床面、Ｓ：ボルトネジ。
【図１】
0003130908.tif 000003
【図２】
0003130908.tif 000004
【図３】
0003130908.tif 000005
【図４】
0003130908.tif 000006
【図５】
0003130908.tif 000007
【図６】
0003130908.tif 000008
【図７】
0003130908.tif 000009
【図８】
0003130908.tif 000010
【図９】
0003130908.tif 000011
【図１０】
0003130908.tif 000012